(57)【特許請求の範囲】
【請求項１】
近位端と遠位端とを有する可撓性シャフトを備えるカテーテルと、
前記シャフトの前記遠位端に設けられる治療素子と、
前記シャフトの前記遠位端に設けられ、切除中に治療部位での対象組織に対する前記治療素子の位置を維持するように構成される位置決め機構と、
電極セットを画定し、前記治療素子に互いに対して配置される複数の電極であって、前記電極セットが所定順序で切換可能な始動および停止を行って前記対象組織に向けられる複数の重複加熱区域を生成するように構成される電極と、
前記重複加熱区域は、前記対象組織を切除するのに十分な前記治療素子からの距離での高い熱生成に関連付けられる遠位区域と、前記治療素子近傍の前記治療部位の組織に対して全く熱傷を引き起こさない、あるいはごくわずかな熱傷しか引き起こさない、前記遠位区域よりも低い熱生成に関連付けられる近位区域と、を画定することと、
前記シャフトに沿って延在し、かつ前記電極セットに接続される導電体機構と、
を備え、
前記電極セットを画定する前記複数の電極が円周パターンで配置されている装置。
【請求項２】
前記遠位区域が略連続的なオーム加熱と関連付けられ、かつ
前記近位区域が間欠的なオーム加熱と関連付けられる請求項１に記載の装置。
【請求項３】
前記近位区域が前記遠位区域よりも少ない重複電流路を有する請求項１に記載の装置。
【請求項４】
前記複数の加熱区域のうち少なくともいくつかが、前記電極セットの始動および停止に基づき制御される複数の加熱点であって各々が空間にて互いに隔てられている複数の加熱点を前記治療素子にて有する請求項１に記載の装置。
【請求項５】
前記近位区域内の加熱が、前記治療素子近傍の前記治療部位で組織の凝固壊死を引き起こすのに必要な温度よりも低い請求項１に記載の装置。
【請求項６】
前記近位区域内の加熱が、前記治療素子の近傍の組織の温度を５０℃超に上昇させるには不十分である請求項１に記載の装置。
【請求項７】
前記治療素子が、前記治療素子と前記治療素子近傍の組織との間に画定される電極−組織界面での冷却を提供するように構成される冷却機構を備える請求項１に記載の装置。
【請求項８】
前記位置決め機構がバルーンまたは拡張型メッシュ構造を備える請求項１に記載の装置。
【請求項９】
前記治療素子および前記位置決め機構が共通構造上に配置される請求項１に記載の装置。
【請求項１０】
前記治療素子および前記位置決め機構は、腎動脈内に配備される大きさに小サイズ化されており、かつ
前記対象組織が腎動脈またはその近傍の血管周囲腎神経組織を含む、請求項１に記載の装置。
【請求項１１】
前記治療素子が臓器の対象組織、血管、腫瘍、または病変組織を治療するように構成される請求項１に記載の装置。
【請求項１２】
前記治療素子が肺静脈切除用に構成される請求項１に記載の装置。
【請求項１３】
前記治療素子に設けられるとともに前記導電体機構に接続される温度センサ機構を備え、前記温度センサ機構が前記電極セットのうちの少なくともいくつかの電極の温度を感知するように構成される請求項１乃至１２のいずれか一項に記載の装置。
【請求項１４】
前記導電体機構に接続された高周波ＡＣジェネレータを備え、
前記ジェネレータが前記所定順序に従い、前記温度センサ機構から受信した信号に応答して前記電極の始動および停止を制御するように構成され、前記ジェネレータが、前記遠位区域内では前記対象組織を少なくとも５５℃の温度まで加熱させるのに十分な熱を生成し、前記近位区域内では前記治療素子の近傍の組織に全く熱傷を引き起こさない、あるいはごくわずかな熱傷しか引き起こさない温度までに加熱を制限するように、前記電極に伝えられる高周波ＡＣエネルギーを制御する請求項１３に記載の装置。
【発明の詳細な説明】
【技術分野】
【０００１】
本発明は、身体の対象組織を切除する装置と方法に関する。
【背景技術】
【０００２】
概して、高血圧治療の血管周囲腎神経切除のために腎動脈に配置されるＲＦ電極を使用する際、最高電流密度、ひいては最大加熱は通常、ふつうは腎動脈の内腔に配置される電極の近傍に適用される。腎神経を効果的に切除する組織温度を達成するために、腎動脈も損傷を受ける。能動冷却を提供することができるが、より大きなカテーテルとより複雑なシステムを必要とする。
【発明の概要】
【発明が解決しようとする課題】
【０００３】
本発明は、上記した懸案を鑑みてなされたものである。
【課題を解決するための手段】
【０００４】
本開示の実施形態は概して、身体の対象組織を切除する装置と方法に関する。本開示の実施形態は、腎動脈や腎神経節などの神経支配された腎脈管構造を切除する装置と方法に関する。
【０００５】
各種実施形態によると、装置は、近位端と遠位端とを有する可撓性シャフトを備えるカテーテルを含む。治療素子はシャフトの遠位端に設けられる。位置決め機構はシャフトの遠位端に設けられ、切除中に治療部位の対象組織に対する治療素子の位置を保持するように構成される。
【０００６】
電極セットを画定する複数の電極は、治療素子で互いに対して配置される。電極セットは、所定順序で切換可能な始動および停止を行って、対象組織に向けられる重複加熱区域を生成するように構成される。
【０００７】
いくつかの実施形態では、重複加熱区域は、対象組織を切除するのに十分な治療素子からの距離での略連続的なオーム加熱と関連付けられる遠位区域と、治療素子近傍の治療部位の組織に対して全く熱傷を引き起こさない、あるいはごくわずかな熱傷しか引き起こさない間欠的なオーム加熱と関連付けられる近位区域と、を画定する。好ましくは、近位区域は遠位区域よりも少ない重複電流路を有する。
【０００８】
他の実施形態では、近位区域内の加熱は、治療素子近傍の治療部位で組織の凝固壊死を引き起こすのに必要な温度よりも低い。たとえば、別の実施形態によると、近位区域内の加熱は、治療素子近傍の組織の温度を約５０℃超に上昇させるのに不十分である。
【０００９】
いくつかの実施形態では、重複加熱区域は、対象組織を切除するのに十分な治療素子からの距離での比較的高い電流密度に関連付けられる遠位区域と、治療素子近傍の治療部位の組織に対して全く熱傷を引き起こさない、あるいはごくわずかな熱傷しか引き起こさない、遠位区域よりも低い電流密度に関連付けられる近位区域と、を画定する。
【００１０】
他の実施形態では、複数の加熱区域のうち少なくともいくつかは、電極セットの始動および停止に基づき空間的に分離された原点を治療素子に有する。各加熱区域は、対象組織を切除するのに十分な治療素子からの距離での略連続的なオーム加熱の遠位区域を備える。各加熱区域は、治療素子近傍の治療部位の組織に対して全く熱傷を引き起こさない、あるいはごくわずかな熱傷しか引き起こさない、治療素子に近接する間欠的なオーム加熱の近位区域をさらに備える。
【００１１】
各種実施形態によると、装置は、近位端、遠位端、および経皮位置に対して患者の腎動脈にアクセスするのに十分な長さを有する可撓性シャフトを備えたカテーテルを含む。治療素子は、シャフトの遠位端に設けられ、腎動脈内に配備されるような大きさとされる。治療素子は、腎動脈内の同治療素子の位置を保持するように構成される拡張型構造を備える。
【００１２】
電極セットを画定する複数の電極は治療素子で互いに対して配置される。電極セットは、所定順序で切換可能な始動および停止を行って、腎動脈の血管周囲神経に向けられる重複加熱区域を生成するように構成される。重複加熱区域は、血管周囲腎神経を切除するのに十分な治療素子からの距離での比較的高い電流密度と関連付けられる遠位区域と、治療素子近傍の腎動脈組織に対して全く熱傷を引き起こさない、あるいはごくわずかな熱傷しか引き起こさない、遠位区域よりも低い電流密度に関連付けられる近位区域と、を画定する。
【００１３】
導電体機構はカテーテルのシャフトに沿って延在し、電極セットに接続される。温度センサ機構が治療素子に設けられ、導電体機構に接続される。温度センサ機構は電極セットの温度を感知するように構成される。
【００１４】
他の実施形態によると、方法は、切除中に身体の治療部位の対象組織に対する治療素子の位置を保持するために実行することができる。治療素子は好ましくは、電極セットを画定し、治療素子で互いに対して配置される複数の電極を含む。該方法は、所定順序で電極を切換可能に始動および停止して、対象組織に向けられる重複加熱区域を生成することも含む。
【００１５】
いくつかの実施形態では、重複加熱区域は、対象組織を切除するのに十分な治療素子からの距離での比較的高い電流密度と関連付けられる遠位区域と、治療素子近傍の治療部位の組織に対して全く熱傷を引き起こさない、あるいはごくわずかな熱傷しか引き起こさない、遠位区域よりも低い電流密度に関連付けられる近位区域と、を画定する。
【００１６】
他の実施形態では、加熱区域のうち少なくともいくつかは、電極セットの始動および停止に基づき空間的に分離された原点を治療素子に有する。各加熱区域は、対象組織を切除するのに十分な治療素子からの距離での略連続的なオーム加熱の遠位区域と、治療素子近傍の治療部位の組織に対して全く熱傷を引き起こさない、あるいはごくわずかな熱傷しか引き起こさない、治療素子近傍の間欠的なオーム加熱の近位区域と、を備える。
【００１７】
これらのおよびその他の特徴は、以下の詳細な説明および添付図面に鑑み理解することができる。
【図面の簡単な説明】
【００１８】
【図１】右腎と、腹部大動脈から側方に分岐する腎動脈を含む腎脈管構造を示す図である。
【図２Ａ】腎動脈の交感神経支配を示す図である。
【図２Ｂ】腎動脈の交感神経支配を示す図である。
【図３Ａ】腎動脈壁の各種組織層を示す図である。
【図３Ｂ】腎神経の一部を示す図である。
【図３Ｃ】腎神経の一部を示す図である。
【図４Ａ】各種実施形態に係る、１つまたは複数の電極セットに配置された複数のＲＦ電極を支持する治療素子を備えるカテーテルの図である。
【図４Ｂ】各種実施形態に係る、図４Ａに示されるカテーテルのシャフトの断面図である。
【図５】カテーテルの治療素子に配置される電極セットの個々のＲＦ電極からの重複加熱領域を概略的に示す図であり、該重複加熱領域は各種実施形態に係る、神経切除のための最高加熱区域と、動脈壁の比較的低温の区域とを含む。
【図６】各種実施形態に係る、カテーテル拡張型構造の一部に相互に間隔をおいて配置された代表的な電極セットの図である。
【図７】各種実施形態に係る、拡張型構造の一部に配置される複数の電極および温度センサと、外部制御システムの各種構成要素とを示すブロック図である。
【図８】本開示の各種実施形態に係る代表的なＲＦ腎治療装置を示す図である。
【発明を実施するための形態】
【００１９】
本開示の実施形態は、改良されたＲＦ切除カテーテル、システム、および方法に関する。ここに開示される装置は、電流を使用する、改良された切除カテーテルおよびシステムに関する。本開示の実施形態は高血圧治療のために血管周囲腎神経を切除する装置と方法に関する。
【００２０】
高血圧は、血圧が高い慢性的医学的症状である。持続性高血圧は、心臓まひ、心不全、動脈瘤、および心発作などの様々の有害な医学的症状と関連する大きなリスク要因である。持続性高血圧は慢性腎疾患の主要原因である。腎臓に供する交感神経系の過活動は、高血圧とその進行に関わる。腎臓の脱神経を介して腎臓の神経を非活性化させることで、血圧を下げることができ、これは従来の薬剤に反応しない多くの高血圧患者にとって実行可能な治療オプションとなり得る。
【００２１】
腎臓は、血液ろ過、流体バランス調節、血圧制御、電解質バランス、およびホルモン生成などを含む多数の人体プロセスにおいて助けになる。腎臓の主機能の１つは、血液から毒素、無機塩類、および水を除去して尿を生成することである。腎臓は、腹部大動脈から左右に分岐する腎動脈を通じて心出力量の約２０〜２５％を受け、腎臓の凹表面である腎門でそれぞれの腎臓に入る。
【００２２】
血流は腎動脈および輸入細動脈を通って腎臓に入り、腎小体という腎臓のろ過部に入る。腎小体は、毛細血管が絡み合い、ボーマン嚢と呼ばれる流体が充填されたカップ状の袋によって覆われた糸球体で構成される。血液中の溶質は、毛細血管内の血液とボーマン嚢内の流体との間の圧力勾配により、糸球体の極薄の毛細血管壁を通ってろ過される。圧力勾配は細動脈の収縮または拡張によって制御される。ろ過後、ろ過された血液は輸出細動脈および尿細管周囲毛細血管を通過し、小葉間静脈に収束し、最終的に腎静脈を通って腎臓を出る。
【００２３】
血液からろ過される粒子と流体は、ボーマン嚢から多数の細管を通って集合管まで移動する。尿は集合管で生成され、尿管および膀胱を通って出る。細管は尿細管周囲毛細血管（ろ過された血液を含む）に囲まれている。ろ液が細管を通り集合管に向かうにつれ、栄養物、水、およびナトリウムや塩化物などの電解質は血液内に再吸収される。
【００２４】
腎臓は、主に大動脈腎神経節から発生する腎神経叢によって神経支配される。神経は腎動脈の走路に沿って腎臓まで進むため、腎神経節は腎神経叢の神経によって形成される。腎神経は、交感神経および副交感神経要素を含む自律神経系の一部である。交感神経系が身体の「戦うか逃げるか」の反応を提供する神経系として知られる一方、副交感神経系は「休養と消化」の反応を提供する。交感神経活動の刺激は交感神経反応を作動させて、腎臓において血管収縮および体液貯留を高めるホルモンの生成を増加させる。この過程は、腎交感神経活動の上昇に応答するレニン−アンジオテンシン−アルドステロン系（ＲＡＡＳ）反応と称される。
【００２５】
血液量の減少に応答して、腎臓はアンジオテンシンの生成を刺激するレニンを分泌する。アンジオテンシンにより血管は収縮して、血圧が上昇し、副腎皮質からのアルドステロンホルモンの分泌も刺激される。また、アルドステロンによって、腎臓の細管がナトリウムと水の再吸収を増加させて、体液量と血圧が上昇する。
【００２６】
うっ血性心不全（ＣＨＦ）は腎臓機能と関連する症状である。身体全体に有効に血液を送ることができないときにＣＨＦが発症する。血流が低下すると、腎小体内の血液の不十分な潅流のために腎機能が劣化する。腎臓への血流が減少すると、腎臓は交感神経系の活動を上昇させ（すなわち、ＲＡＡＳが過活動となる）、体液貯留および血管拘束を促進するホルモンを分泌する。次いで体液貯留と血管拘束は循環系の周辺抵抗を増大させて、心臓にさらに負荷をかけ、血流をさらに低下させる。心機能および腎機能の低下が継続すると、最終的に身体が抗しがたいほどの負荷を受けて、心疾患代償不全が発生し、患者の入院につながる場合が多い。
【００２７】
図１は、右腎１０と、腹部大動脈２０から側方に分岐する腎動脈１２を含む腎脈管構造とを示す。図１では、説明を簡潔にするために右腎１０のみが示されているが、以下、右腎および左腎とその関連の腎脈管構造および神経系構造が言及され、そのすべてが本開示の実施形態のコンテクストの範囲に入ると企図される。本開示の様々な特徴と実施形態を説明し易くするため、腎動脈１２は右腎１０および腹部大動脈２０よりも不釣り合いに大きく図示されている。
【００２８】
右腎と左腎は、腹部大動脈２０の右側面と左側面からそれぞれ分岐する右腎動脈および左腎動脈から血液を供給される。右腎動脈および左腎動脈はそれぞれ腹部大動脈２０に略直角になるように横隔膜の脚を横断して方向付けられる。右腎動脈および左腎動脈は腹部大動脈２０から腎臓の門１７に隣接する腎洞まで実質的に延在し、区動脈に分岐し、その後、腎臓１０内の小葉間動脈へと分岐する。小葉間動脈は外側に放射状に広がり、腎被膜を貫通して腎錐体間の腎柱間を通って延在する。通常、腎臓は総心出量の約２０％を受け、正常な人の場合、それは１分間当たりに腎臓を通る血流約１２００ｍＬに相当する。
【００２９】
腎臓の主機能は、尿の生成および濃度を制御することによって身体の水と電解質のバランスを維持することである。尿を生成する際、腎臓は尿やアンモニアなどの老廃物を排出する。腎臓はグルコースとアミノ酸の再吸収も制御し、ビタミンＤ、レニン、およびエリスロポエチンを含むホルモンの生成に重要な機能を果たす。
【００３０】
腎臓の重要な第２の機能は、身体の代謝恒常性を制御することである。止血機能の制御は、電解質、酸塩基平衡、および血圧の調節を含む。たとえば、腎臓は、尿で失われる水分量を調節し、たとえばエリスロポエチンおよびレニンを放出することによって血液量および血圧を調節する任を果たす。腎臓は、尿で失われる量とカルシトリオールの合成を制御することによってプラズマイオン濃度（たとえば、ナトリウム、カリウム、塩化物イオン、カルシウムイオンレベル）も調節する。腎臓によって制御されるその他の止血機能は、尿中の水素および重炭酸イオンの減少を制御することによって血液ｐＨを安定化させること、貴重な栄養物の排出を防止して栄養物を保存すること、解毒で肝臓を支援することを含む。
【００３１】
図１には一般的に右の副腎と称される右副腎１１も示されている。副腎１１は、腎臓１０の上にある星形の内分泌腺である。副腎（左右）の主機能は、コルチゾールとアドレナリン（エピネフリン）をそれぞれ含むコルチコステロイドとカテコールアミンの合成を通じて身体のストレス反応を調節することである。腎臓１０、副腎１１、腎血管１２、およびその近傍の腎周囲脂肪は、腎筋膜、たとえば、腹膜腔外の連続組織から得られる筋膜鞘であるジェロータ筋膜（図示せず）によって囲まれている。
【００３２】
身体の自律神経系は、血管、消化系、心臓、および分泌腺内の平滑筋の不随意行動を制御する。自律神経系は交感神経系および副交感神経系に分類される。一般用語でいう副交感神経系は、心拍数を低下させ、血圧を低下させ、消化を刺激することによって身体に休養の準備をさせる。交感神経系は、心拍数を上昇させ、血圧を上昇させ、新陳代謝を高めることによって身体の戦うか逃げるか反応（ｆｉｇｈｔ−ｏｒ−ｆｌｉｇｈｔ  ｒｅｓｐｏｎｓｅ）を生じさせる。
【００３３】
自律神経系では、中枢神経系から発生し、各種神経節まで延在する線維が節前線維と称される一方、神経節からエフェクタ臓器まで延在する線維は節後線維と称される。交感神経系は、副腎１１からのアドレナリン（エピネフリン）と、それより程度は落ちるがノルエピネフリンとの放出を通じて活性化される。このアドレナリン放出は節前交感神経から放出される神経伝達物質のアセチルコリンによって始動される。
【００３４】
腎臓および尿管（図示せず）は腎神経１４により神経支配される。図１および２Ａ〜２Ｂは、腎脈管構造の交感神経支配、主に腎動脈１２の神経支配を示す。腎脈管構造の交感神経支配の主機能は、腎臓の血流と血圧の調節、レニン放出の刺激、および水とナトリウムイオンの再吸収の直接的刺激を含む。
【００３５】
腎脈管構造を支配する神経の大半は、上腸間膜神経節２６から生じる交感神経節後線維である。腎神経１４は腎動脈１２に沿って略軸方向に延在し、門１７で腎臓１０に入り、腎臓１０内の腎動脈１２の分岐をたどり、個々のネフロンまで延在する。腎神経節２４、上腸間膜神経節２６、左右大動脈腎神経節２２、および腹腔神経節２８などの他の腎神経節も腎脈管構造を神経支配する。腹腔神経節２８は比較的多い胸内臓神経（比較的多いＴＳＮ）によって連結される。大動脈腎神経節２６は比較的少ない胸内臓神経（比較的少ないＴＳＮ）によって連結され、腎神経叢の比較的大きな部分を神経支配する。
【００３６】
腎臓１０への交感神経信号は、主に脊髄分節Ｔ１０〜Ｔ１２およびＬＩから発生する神経支配された腎脈管構造を介して伝達される。副交感神経信号は、主に下脳の延髄から脊髄分節Ｓ２〜Ｓ４で発生する。交感神経トラフィックは交感神経幹神経節を通って移動し、そこでシナプスを形成するものもあれば、大動脈腎神経節２２で（比較的少ない胸内臓神経、すなわち、比較的少ないＴＳＮを介して）および腎神経節２４で（最も少ない胸内臓神経、すなわち、最も少ないＴＳＮを介して）シナプスを形成するものもある。その後、シナプス後交感神経信号は腎動脈１２の神経１４に沿って腎臓１０まで進む。シナプス前副交感神経信号は、腎臓１０またはその近傍にシナプスを形成する前に腎臓１０近傍の部位まで伝わる。
【００３７】
特に図２Ａを参照すると、腎動脈１２は、大半の動脈および細動脈と同様、腎動脈内腔１３の径を制御する平滑筋３４に裏打ちされている。平滑筋は概して、大小動脈および静脈ならびに各種臓器の中膜層内に見られる不随意平滑筋である。腎臓の糸球体は、たとえば、メサンギウム細胞と呼ばれる平滑筋状の細胞を含む。平滑筋は構造、機能、興奮収縮連関、および収縮機構の点で、骨格筋や心筋と基本的に異なる。
【００３８】
平滑筋細胞は自律神経系によって収縮または弛緩するように刺激することができるが、ホルモンおよび血液伝播性電解質および作用薬（たとえば、血管拡張剤または血管収縮剤）に応答して隣接細胞からの刺激に反応することもできる。腎臓１０の傍糸球体装置の輸入細動脈内の特定の平滑筋細胞は、たとえば、アンジオテンシンＩＩ系を活性化するレニンを生成する。
【００３９】
腎神経１４は腎動脈壁１５の平滑筋３４を神経支配し、腎動脈壁１５に沿って略軸方向または長手方向に縦に延在する。平滑筋３４は図２Ｂに示されるように、腎動脈の周囲を囲み、腎神経１４の長手方向に略横断する方向に縦に延在する。
【００４０】
腎動脈１２の平滑筋３４は自律神経系の不随意制御下にある。交感神経の活動が増大すると、たとえば、平滑筋３４が収縮する傾向があり、腎動脈内腔１３の径が減少して血液潅流を低減させる。交感神経活動が低下すると、平滑筋３４が弛緩する傾向があり、血管拡張が増大して、腎動脈内腔径と血液潅流を増大させる。反対に、副交感神経活動が高まると、平滑筋３４が弛緩する傾向があり、副交感神経活動が低下すると、平滑筋が収縮する。
【００４１】
図３Ａは腎動脈による縦断面の一部を示し、腎動脈１２の壁１５の各種組織層を示す。腎動脈１２の最内側層は、内膜３２の最内側層である内皮細胞３０であって、内側弾性膜によって支持される。内皮細胞３０は、血管腔１３を通って流れる血液と接触する細胞の単層である。内皮細胞は通常、多角形、楕円形、または紡錘形であり、非常に特異な円形または楕円形の核を有する。内皮細胞３０は、血管収縮および血管拡張、血液凝固による血圧の制御、および内腔１３内の含有物と内膜３２を中膜３４から分離する内膜３２の薄膜や外膜３６などの周囲組織との間のバリア層としての機能、といった様々な血管機能に関わる。内膜３２の薄膜または浸軟は、高弾性の薄く、透明で、無色の構造であり、長手方向の波形パターンを有する。
【００４２】
内膜３２には、腎動脈１２の中間層である中膜３３が隣接する。中膜は平滑筋３４および弾性組織で構成される。中膜３３は線維の色や横配列によって容易に特定することができる。より具体的には、中膜３３は主に、薄板または薄膜状に構成され、動脈壁１５の周囲に環状に配置される平滑筋繊維３４の束から成る。腎動脈壁１５の最外層は連続組織で構成される外膜３６である。外膜３６は、傷の回復に重要な役割を果たす線維芽細胞３８を含む。
【００４３】
血管周囲領域３７は、腎動脈壁１５の外膜３６近傍の周辺に示されている。腎神経１４は外膜３６に隣接して示され、血管周囲領域３７の一部を通過している。腎神経１４は腎動脈１２の外壁１５に沿って略長手方向に延在するように示されている。腎神経１４の本幹は通常、腎動脈１２の外膜３６内または上に存在し、血管周囲領域３７を通過することが多く、特定の分流が中膜３３内へと進み腎動脈平滑筋３４を弱体化させる。
【００４４】
本開示の実施形態は、神経支配された腎脈管構造に様々な程度の除神経治療を提供するために実施することができる。たとえば、本開示の実施形態は本開示の治療装置を使用して行われる除神経治療によって、腎神経刺激伝達遮断の程度および相対的永続度を制御することができる。腎神経損傷の程度および相対的永続度は、交感神経活動の所望の低減（部分的または完全なブロックを含む）を達成し、所望の永続度（一時的または不治の損傷を含む）を実現するように調整することができる。
【００４５】
図３Ｂおよび３Ｃを参照すると、図３Ｂおよび３Ｃに示される腎神経１４の部分は神経線維１４ｂの束１４ａを含み、各束は神経節内、脊髄、または脳内に位置する細胞体またはニューロンを始端または終端とする軸索または樹状突起を備える。神経１４の支持組織構造１４ｃは神経内膜（神経軸索線維を囲む）、神経周膜（線維群を囲んで束を形成する）、および神経上膜（束を神経状に縛る）を含み、それらの膜は神経線維１４ｂと束１４ａを分離および支持するのに供する。具体的には、神経内膜管または細管とも称される神経内膜は、神経束内の神経線維１４ｂのミエリン鞘を包囲する繊細な連続組織層である。
【００４６】
ニューロンの主要構成要素は、核と、樹状突起と呼ばれる細胞拡張部と、神経信号を担持するケーブル状の突出部である軸索とを含むニューロンの中央部である体細胞を含む。軸索端末は、神経伝達物質の化学物質が対象組織と通信するために放出される特別な構造であるシナプスを含む。末梢神経系の多数のニューロンの軸索は、シュワン細胞として知られる一種のグリア細胞によって形成されるミエリンで覆われる。ミエリン形成シュワン細胞は軸索に巻き付けられ、ランヴィエ絞輪と呼ばれる規則的に間隔をおいて配置されたノードにおいて軸索鞘は覆われずに残される。軸索のミエリン形成は、サルテーションと呼ばれる特に急速な電気刺激伝播モードを可能にする。
【００４７】
いくつかの実施形態では、本開示の治療装置は、腎神経線維１４ｂに一過性で回復不能な損傷を負わせる除神経治療を施すように実施することができる。他の実施形態では、本開示の治療装置は、治療が適時に終了すれば回復可能であるが、腎神経線維１４ｂにより重篤な損傷を引き起こす除神経治療を施すように実施することができる。好適な実施形態では、本開示の治療装置は、腎神経線維１４ｂに重篤で不治の損傷を引き起こす結果、腎交感神経活動を永久的に停止させる除神経治療を施すように実施することができる。たとえば、治療装置は、神経線維１４ｂの神経内膜管を物理的に分離するのに十分な程度まで神経線維の形状を破壊して再生および再神経支配の過程を防止する除神経治療を施すように実施することができる。
【００４８】
たとえば、当該業界において既知なセドン分類によると、本開示の治療装置は、一過性伝導障害と一致する腎神経線維１４ｂへの損傷を与えることによって、腎神経線維１４ｂに沿った神経刺激の伝達を遮断する除神経治療を提供するために実施することができる。一過性伝導障害は、神経線維１４ｂまたはその鞘の破壊がない神経障害を指す。この場合、神経線維への神経刺激の断絶があり、ウォラー変性が生じないため、真の再生なしに回復には数時間から数カ月かかる。ウォラー変性は、ニューロンの細胞核から分離した軸索の部分が変性する過程を指す。この過程は順行性変性としても知られる。一過性伝導障害は、本開示の実施形態に係る治療装置を使用して腎神経線維１４ｂに対して与えることのできる最も軽度な形の神経損傷である。
【００４９】
治療装置は、軸索断裂症と一致する腎神経線維への損傷を与えることによって、腎神経線維１４ｂに沿った神経刺激の伝達を遮断するように実施することができる。軸索断裂症では、神経線維の軸索の相対的連続性とミエリンの被覆は失われるが、神経線維の連続組織枠組みは保持される。この場合、神経線維１４ｂの被包支持組織１４ｃは保持される。軸索の連続性が失われるため、ウォラー変性が発生する。軸索断裂症は、軸索の再生を通じてのみ回復し、その過程には約数週間または数ヶ月の時間がかかる。電気的には、神経線維１４ｂは急速で完全な変性を示す。再生および再神経支配は、神経内管が損傷を受けない限り発生し得る。
【００５０】
治療装置は、神経断裂症に相当する腎神経線維１４ｂへの損傷を与えることによって腎神経線維１４ｂに沿って神経刺激の伝達を遮断するように実施することができる。セドン分類によると、神経断裂症はスキームにおいて最も重篤な神経損傷である。この種の損傷では、神経線維１４ｂと神経鞘の両方が破壊されている。部分的回復はあるかもしれないが、完治は不可能である。神経断裂症は、軸索および被包連続組織１４ｃの連続性を失うことを含み、腎神経線維１４ｂの場合には自律機能が完全に失われる。神経線維１４ｂが完全に分断されたら、軸索の再生により神経腫が近位断端に形成される。
【００５１】
神経断裂症の神経損傷のより階層的な分類は、当該技術において既知なサンダーランドシステムを参照して行うことができる。サンダーランドシステムは５度の神経損傷を定義し、最初の２つはセドン分類による一過性伝導障害および軸索断裂症にほぼ相当する。後者３つのサンダーランドシステム分類は、異なるレベルの神経断裂症神経障害を説明している。
【００５２】
サンダーランドシステムにおける第１および２度の神経損傷は、セドンの一過性伝導障害および軸索断裂症にそれぞれ類似する。サンダーランドシステムによる第３度の神経損傷は神経内膜の破壊を含み、神経上膜と神経周膜は影響を受けない。回復は束内線維症の程度に応じて不十分から完治に及ぶ。第４度の神経損傷はすべての神経および支持要素の離断を含み、神経上膜は影響を受けない。神経はふつう拡張している。第５度の神経損傷は、連続性を失った神経線維１４ｂの完全な切断を含む。
【００５３】
本開示の実施形態は、腎神経の切除中、腎動脈の損傷を低減させる改良された方法を提供する装置および方法に関する。各種実施形態は、近傍の対象組織を切除する際、身体のその他の組織および構造の損傷を低減させる装置および方法に関する。その他の身体の組織、構造、および対象組織の例は、たとえば心調律障害の治療のための肺静脈または電気的活性対象心組織など、臓器、腫瘍、病変組織、および心臓の脈管構造を含む。
【００５４】
本開示の実施形態は、電流を使用する、高血圧治療用の血管周囲腎神経切除のための装置および方法に関する。上述したように、腎動脈内に配置されるＲＦ電極を使用する際、最高電流密度、ひいては最高加熱および損傷領域は通常、電極の近傍に適用される。本開示の実施形態は、１セットの隣接ＲＦ電極の間で電流を移動させることによって腎動脈への損傷を低減しつつ、対象神経の十分な切除を提供する。
【００５５】
各種実施形態によると、１つの電極が始動されると、他の電極に隣接する動脈壁の部分を冷却することができる。電流はセット内の別の電極に切り替えられて、第１の電極に隣接する動脈壁の部分を冷却させることができる。電流は血管周囲組織内で幾分分散するため、セット内の各電極の始動によって加熱される領域が重複して、対象組織の冷却を阻害する。
【００５６】
次に図４Ａを参照すると、治療部位の対象組織を切除するための複数の順次始動可能なＲＦ電極を含むカテーテル１００が図示されている。図４Ａは、説明のために提供される概略図である。バルーン１０２を通る内側内腔はバルーンの膨張を維持しつつガイドワイヤ通路として使用することができ、ガイドワイヤ穴１１１はこの内側内腔の遠位端の概略表示であると理解されたい。
【００５７】
いくつかの実施形態によると、カテーテル１００は、近位端および遠位端を有する可撓性シャフト１０４を含む。治療素子１０１はシャフト１０４の遠位端に設けられる。位置決め機構１０２は、シャフト２０４の遠位端に設けられ、切除中に治療部位の対象組織に対する治療素子１０１の位置を保持するように構成される。位置決め機構１０２は好ましくは、バルーンまたはメッシュ構造などの放射状拡張型構造１０３を含む。図４Ａに示される実施形態では、治療機構１０１および位置決め機構１０２は共通構造（たとえば、拡張型構造１０３）上に配置される。他の実施形態では、治療機構１０１および位置決め機構１０２はカテーテル１００の別々の構造上に配置することができる。
【００５８】
いくつかの実施形態によると、カテーテル１００のシャフト１０４は、経皮位置に対する患者の腎動脈１２にアクセスするのに十分な長さを有する。シャフト２０４の遠位端に設けられる治療素子１０１は、腎動脈１２内に配備される大きさとする。治療素子１０１は、バルーンまたはメッシュ構造などの、腎動脈１２内での治療素子１０１の位置を保持するように構成された放射状拡張型構造１０３を備える。
【００５９】
図４Ｂは、電極導体内腔１１３ａ、センサ導体内腔１１３ｂ、ガイドワイヤ内腔１１１、供給内腔１０６、および帰還内腔１０８を含む、図４Ａのカテーテル１００のシャフト１０４の断面を示す。供給内腔１０６および帰還内腔１０８はそれぞれ、膨張および収縮動作中にバルーン１０２との間で加圧流体を送出および除去する。
【００６０】
電極およびセンサ導体内腔１１３ａ、１１３ｂはそれぞれ絶縁材料層を含むことができる、および／またはそこに配置される導体はそれぞれ絶縁層を含むことができる。各種実施形態では、所与の電極セット１１９の各電極１２０は、電極導体内腔１１３ａを延在する個々の導電体を介して、カテーテル１００の導電体機構１１０に接続される。
【００６１】
温度センサ機構１２１は図４Ａに示され、電極セット１１９内に分布される複数の温度センサ１２３を含む。温度センサ機構１２１は、電極１２０のセット１１９またはその近傍の温度を感知するように構成される。所与の温度センサ機構１２１の各温度センサ１２３は、センサ導体内腔１１３ｂを延在する個々の導電体を介してカテーテル１００の導電体機構１１０に接続される。導電体機構１１０はシャフト１０４に沿ってカテーテル１００の近位端まで延在する。
【００６２】
なお、各電極１２０は対応する数の温度センサ１２３を有する必要はなく、１つ、２つ、または少数（すなわち、電極１２０の数よりも少ない数）の温度センサ１２３を、電極セット１１９に配備することができる。いくつかの実施形態では、たとえば、電極１２０のセット１１９の時間始動および空間位置機構によって提供される電極−組織界面での局地的冷却に鑑み、温度の感知を利用しない。
【００６３】
ガイドワイヤ内腔１１１は、腎動脈などの所望の治療位置へのバルーン１０２の送達を簡易化するために臨床医によって使用することができるガイドワイヤまたはその他の長尺状誘導支援部材を収容するように構成される。図４Ａに示される構造では、ガイドワイヤ内腔１１１はバルーン１０２の開放内腔を画定し、バルーン１０２をたとえば腎動脈に誘導するためにガイドワイヤを該内腔内で前進させる。ガイドワイヤが腎動脈内に配置された後、バルーンカテーテル１００はガイドワイヤに沿って前進し、オーバー・ザ・ワイヤ技術を用いて腎動脈の内腔に運ばれる。
【００６４】
図４Ａおよび５に示されるように、複数の電極１２０が電極セット１１９を画定し、治療素子１０１で互いに対して配置される。電極セット１１９の電極１２０は、所定順序で切換可能な始動および停止を行い、対象組織に向けられる重複加熱区域２４０を生成するように構成される。たとえば、電極セット内の個々の電極は所定順序で通電することができる、あるいはセット内の複数の電極はたとえば電極１および３、次に２と４というように同時に通電することができる。電極の通電は、時間的に一部重複していてもよい。様々な電気波形を用いて特定の電極を通電して、動脈壁損傷を低減しながら対象組織の加熱を高めることができる。図５は、別々のＲＦ電極１２０からの重複加熱区域と、神経切除のために最も加熱される区域および動脈壁の比較的低温の区域とを概略的に示す。
【００６５】
なお、図５では、影付きの円錐は、比較的高い電流密度の区域を概略的に表すために使用されている。実際の電界および電流線はより複雑であり、各種組織のインピーダンスや帰還電極（双極機構が使用される場合、外皮パッドまたは第２の電極）の位置などの多くの要因に依存すると理解されたい。
【００６６】
図５は、間欠的加熱によって低温となる動脈壁の重複電流路の少ない領域と、より継続的に通電され、わずかに距離をおいて対象組織の加熱を高める領域とを示す。たとえば、図５の重複加熱区域２４０は、対象組織を切除するのに十分な治療素子１０１からの距離での比較的高い電流密度に関連付けられる遠位区域２５０と、治療素子１０１近傍の治療部位の組織に対して全く熱傷を引き起こさない、あるいはごくわずかな熱傷しか引き起こさない、遠位区域よりも低い電流密度に関連付けられる近位区域２６０とを、画定する。
【００６７】
近位加熱区域２６０に関連付けられる電流密度は好ましくは、治療素子１０１近傍の治療部位で組織の凝固壊死を引き起こすのに必要な電流密度よりも低い。たとえば、近位加熱区域２６０に関連付けられる電流密度は好ましくは、約５０℃超の温度まで治療素子１０１近傍の組織を加熱させるのに不十分である。対照的に、遠位加熱区域２５０に関連付けられる電流密度は好ましくは、対象組織を少なくとも約５５℃の温度まで加熱するのに十分である。
【００６８】
各種実施形態によると、加熱区域２４０のうち少なくともいくつかは、電極１２０のセット１１９の選択的始動および停止に基づき空間的に分離された原点を治療素子１０１に有する。各加熱区域２４０は、対象組織を切除するのに十分な治療素子１０１からの距離において略連続的なオーム加熱の遠位区域２５０を備える。各加熱区域２４０は、治療素子１０１近傍の治療部位の組織に対して全く熱傷を引き起こさない、あるいはごくわずかな熱傷しか引き起こさない、治療素子１０１近傍の間欠的なオーム加熱の近位区域２６０も備える。
【００６９】
いくつかの実施形態によると、電極セット１１９の電極１２０は所定順序での切換可能な始動および停止を行い、腎動脈１２の血管周囲神経に向けられる重複加熱区域２４０を生成するように構成することができる。重複加熱区域２４０は、血管周囲腎神経を切除するのに十分な治療素子１０１からの距離での比較的高い電流密度に関連付けられる遠位区域２５０と、治療素子１０１近傍の腎動脈１２の組織に対して全く熱傷を引き起こさない、あるいはごくわずかな熱傷しか引き起こさない、遠位区域２５０よりも低い電流密度に関連付けられる近位区域２６０とを画定する。
【００７０】
各種実施形態では、電極１２０のセット１１９の時間始動機構および空間位置機構は、電極１２０に隣接して配置される腎動脈組織が熱傷を受ける場合でも、腎動脈壁の相当部分を残すように選択することができる。したがって、わずかな割合の腎動脈組織（すなわち、電極１２０に隣接して配置されるわずかな割合の腎動脈組織）しか、切除中に熱傷を受けない。
【００７１】
いくつかの実施形態では、電極１２０のセット１１９の時間始動および空間位置機構によって提供される冷却に加えて、電極−組織界面での局地的冷却を強化する冷却機構を含むことが望ましいかもしれない。血液潅流内腔は治療素子１０１内または上に組み込むことができ、血管周囲腎神経の切除中に腎動脈１２の壁の冷却を行うために使用することができる。たとえば、冷却内腔機構は切除中に、腎動脈１２を通過する血液を分流させ、治療素子１０１によって支持される電極を冷却することができる。
【００７２】
いくつかの実施形態では、冷却機構は、治療素子１０１に組み込まれる長手方向の、または螺旋状の路または溝を構成することができる。路または溝を通過する血液は、切除中に腎動脈１２の壁の冷却を強める役割を果たす。受動的または能動的冷却機構は、本開示の実施形態によって提供される動脈壁保護を相乗作用的に向上させることができる。
【００７３】
いくつかのアプローチによると、実験によってどの始動順序および電源設定の組み合わせが効率的であるかを判定することができ、そこから標準的な始動計画を確立し使用することができる。単純な温度測定または電気測定（たとえば、インピーダンス、電流、または電圧感知またはそれらの組み合わせ）を、カスタマイズや調節の制限された標準的な始動計画、たとえば、単純な温度測定または電気測定を用いることによって大きさまたは時間で単純に増減された標準的な順序と電源の割合およびタイミングの使用と組み合わせることができる。
【００７４】
次に図６を参照すると、電極１２０の代表セット１１９は拡張型構造１０３の一部に相互に間隔をおいて配置されている。温度センサ機構１２１は電極１２０のセット１１９に近接して拡張型構造１０３に配置される。図６に示されるように、温度センサ機構１２１の個々の温度センサ１２３は、電極セット１１９の各電極１２０の近傍に配置される。
【００７５】
図５および６に示されるように、熱電温度計などの１つまたは複数の温度センサ１２３が、電極セット１１９の温度を測定するために電極セット１１９に設けられる。いくつかの実施形態では、温度センサ１２３は電極セット１２３の各電極１２０またはその近傍に配置され、切除電極機構１０１の個々の電極位置での正確な温度測定を可能にする。
【００７６】
１セットの導電体１２７は、電極セット１１９の各電極１２０と外部電極始動回路間の電気的接続を確立するために拡張型構造１０３上に配置される。１セットの導電体１２９は、温度センサ機構１２１の各温度センサ１２３と外部温度センサ回路間の電気的接続を確立するために拡張型構造１０３上に配置される。
【００７７】
いくつかの実施形態では、導電体１２７および１２９は、拡張型構造１０３（たとえば、バルーン）を作製するのに使用される非導電ポリマ材料と適切なマスキングと組み合わせて金属層を使用して形成することができる。他の実施形態では、導電体１２７および１２９は、非導電材料または被覆および適切なマスキングと組み合わせて導電ワイヤメッシュを用いて形成することができる。別の実施形態では、ワイヤメッシュ構造はワイヤメッシュ、編組、または籠とすることができる。特定の実施の電気的特徴に応じて、ワイヤメッシュ構造は、絶縁または非絶縁導電ワイヤ、非導電またはポリマ構造、あるいはそれらの組み合わせを備えることができる。
【００７８】
一形態では、８つの単極電極１２３のセット１１９は、腎動脈内の位置を保持するために拡張型バルーンまたはワイヤメッシュ構造１０３に固定することができる。該セットの導電体１２７は、動脈１２を冷却するが、対象組織の所望の加熱を維持するように各ＲＦ電極１２０を順次始動させる外部電極始動回路に接続される。他の数の電極を使用することもでき、たとえば５つの電極のセットを１−３−５−２−４の順に繰り返して、または最大の動脈冷却を得るように選択されたその他の順番で始動させることができる。
【００７９】
腎動脈壁の別の領域に配置される電極１２３の１つまたは複数の追加セット１１９は、血管周囲腎神経の別々の場所を切除するのに使用することができる、あるいはカテーテルおよび／または拡張型構造１０３は別の位置に移動させて、再度始動させることができる。
【００８０】
各種実施形態によると、双極電極セットを使用し、始動される電極１２３の位置を混合することによって、対象組織の加熱を維持するが、動脈を間欠的に加熱および冷却して動脈損傷を最小限に抑えることができる。類似のアプローチでは、他の加熱機構を利用して、交差する隣接位置を順次加熱して、対象組織を切除する加熱区域と動脈１２を保護する比較的低温の区域とを生成することができる。類似のアプローチでは、腫瘍切除またはＢＰＨ（良性前立腺肥大症）治療などのために、加熱装置に近い組織を保護しつつ、わずかに距離をおいて対象組織を切除するように使用することができる。
【００８１】
図７は、各種実施形態に係る、拡張型構造１０３の一部に配置される複数の電極および温度センサと、外部制御システムの各種構成要素とを示すブロック図である。いくつかの実施形態では、カテーテル１０１の拡張型構造１０３に配置される２つ以上の電極セット１１９を使用することが望ましいかもしれない。２つ、３つ、または４つの電極セット１１９を、拡張型構造１０３の別々の長手方向の位置および円周位置に配置することができる。たとえば、４つのオフセット電極セット１１９はそれぞれ拡張型構造１０３上の円弧の別々の９０度をカバーし、略螺旋形状を画定するように配備することができる。別の例では、３つの電極セット１１９が拡張型構造１０３の円弧をそれぞれ１２０度ずつカバーし、略円周形状を画定するように配備することができる。
【００８２】
図７に示される拡張型構造１０３の部分は複数の電極セット１１９ａ〜１１９ｎを含み、各電極セットはいくつかの個別に制御される電極１２０を備える。電極セット１１９ａ〜１１９ｎはそれぞれ外部電極始動回路３２０に電気的に接続される。上述したように、各電極セット１１９ａ〜１１９ｎの各電極１２０は別々に外部電極始動回路３２０に接続される。
【００８３】
図７に示される拡張型構造１０３の部分は複数の温度センサアレイ１２１ａ〜１２１ｎをさらに備え、各アレイはいくつかの独立した温度センサ１２３を備える。温度センサアレイ１２１ａ〜１２１ｎはそれぞれ外部温度測定回路３２８に電気的に接続される。各温度センサアレイ１２１ａ〜１２１ｎの各温度センサ１２３は別々に外部温度測定回路３２８に接続される。
【００８４】
外部温度測定回路３２８は外部電極始動回路３２０に接続される。各温度センサアレイ１２１ａ〜１２１ｎの各温度センサ１２３の温度情報は、外部温度測定回路３２８によって外部電極始動回路３２０に提供される。外部電極始動回路３２０は電源制御部３２２およびタイミング制御部３２４を含む。部分的に受信した温度情報に基づいて、外部電極始動回路３２０は、各電極セット１１９ａ〜１１９ｎの各電極１２３の始動順序、および各電極１２３に供給されるＲＦエネルギーの量を制御する。
【００８５】
図８は、本開示の各種実施形態に係る代表的なＲＦ腎治療装置３００を示す。図８に示される装置３００は、電源制御回路３２２およびタイミング制御回路３２４を備える外部電極始動回路３２０を含む。ＲＦジェネレータを含む外部電極始動回路３２０は温度測定回路３２８に接続され、任意のインピーダンスセンサ３２６に接続することができる。カテーテル１００は、導体、膨張流体、薬剤、アクチュエータ素子、オブチュレータ、センサ、または必要または所望に応じてその他の構成要素などの様々な構成要素を収容するように構成される内腔機構１０５を組み込んだシャフト１０４を含む。
【００８６】
外部電極始動回路３２０のＲＦジェネレータは、患者の背中または腎臓近傍の他の身体の部分と快適に係合するように構成される帰還パッド電極３３０を含むことができる。ＲＦジェネレータによって生成される高周波エネルギーは、カテーテルのシャフト１０４の内腔に配置される導体機構１１０によって、カテーテル１０１の遠位端で治療素子１０１に接続される。
【００８７】
図８に示される装置を使用する腎除神経治療は通常、腎動脈に配置される治療素子１０１の１つまたは複数の電極セット１１９と患者の背中に配置される帰還パッド電極３３０とを用いて実行され、ＲＦジェネレータは単極モードで動作する。この実施では、１つまたは複数の電極セット１１９の電極１２０は単極構造で動作するように構成される。別の実施では、１つまたは複数の電極セット１１９の電極１２０は、双極構造で動作するように構成することができ、その場合、帰還電極パッド３３０は必要とされない。
【００８８】
高周波エネルギーは所定の始動順序に従い１つまたは複数の電極セット１１９を通過して流れ、腎動脈の近傍組織において電流の流れとジュール加熱を生じさせる。電極１２０の順次始動は上述したように重複加熱区域を生成する機能を果たし、各加熱区域は血管周囲腎神経を切除するのに十分な治療素子１０１からの距離で略連続的なオーム加熱の遠位区域と、治療素子１０１近傍の腎動脈組織に熱傷を負わせるには不十分な治療素子１０１に隣接する間欠的なオーム加熱の近位区域と、を備える。
【００８９】
概して、腎動脈組織の温度が約１１３°Ｆ（５０℃）を超えて上昇すると、タンパク質が永久的に損傷を受ける（腎神経線維のタンパク質を含む）。約６５℃を超えて加熱されると、コラーゲン変性および組織収縮が発生する。約６５℃を超えて最高１００℃まで加熱されると、細胞壁が破壊されて油が水と分離する。約１００℃超では、組織が乾燥する。
【００９０】
いくつかの実施形態によると、電極始動回路３２０は、所定順序に従い、温度測定回路３２８から受信された信号に応じて、１つまたは複数の電極セット１１９の電極１２０の始動および停止を制御するように構成される。電極始動回路３２０は、対象組織を少なくとも６５℃の温度まで加熱させるのに十分なレベルまで加熱する遠位区域内の電流密度を維持し、治療素子の近傍の組織を５０℃超の温度まで加熱するのに不十分なレベルまで加熱する近位区域内の電流密度を維持するように、電極１２０に伝えられる高周波エネルギーを制御する。
【００９１】
治療素子１０１に配置される温度センサ１２３は腎動脈組織温度の継続的監視を提供し、ＲＦジェネレータの電源は目標温度が達成および維持されるように自動的に調節される。インピーダンスセンサ機構３２６はＲＦ除神経治療中の電気インピーダンスを測定および監視するのに使用でき、ＲＦジェネレータ３２０の電源及びタイミングは、インピーダンス測定またはインピーダンスと温度との組み合わせの測定に基づいて調節することができる。切除領域のサイズは主に、治療素子１０１の電極１２３のサイズ、数、および形状、印加される電力、およびエネルギーが印加される継続期間によって決定される。
【００９２】
マーカバンド３１４は、処置中の視覚化を可能にするために治療素子１０１の１つまたは複数の部分に配置することができる。カテーテル１０１の他の部分、たとえばシャフト１０４の１つまたは複数の部分（たとえば、ヒンジ機構３５６）がマーカバンド３１４を含むことができる。マーカバンド３１４は、プラチナまたはその他のＸ線不透過性金属の固体または分割バンドであってもよい。Ｘ線不透過性材料は、蛍光スクリーンにまたは他の画像技術で医療処置中に比較的明るい画像を生成することができる材料であると理解される。この比較的明るい画像は、ユーザがカテーテル１０１の先端、治療素子１０１、およびヒンジ３５６など、カテーテル１００の特定位置を判定するのを助ける。いくつかの実施形態によると、カテーテル１００の編組および／または電極はＸ線不透過とすることができ、バルーンが拡張型構造１０３の一部として使用される場合、バルーンに造影剤／生理食塩水を充填することができる。
【００９３】
ここに開示される各種実施形態は通常、高血圧の制御のための血管周囲腎神経の切除という状況で説明されている。しかしながら、本開示の実施形態は、その他の状況、たとえば、その他の動脈、静脈、および脈管構造（たとえば、心臓および泌尿器脈管構造と血管）を含む身体のその他の血管、および各種臓器を含む身体のその他の組織内からの切除にも適用可能であると理解されたい。
【００９４】
各種実施形態の多数の特徴を各種実施形態の構造および機能の詳細と共に上記の説明で述べたが、この詳細な説明は単に例示的であり、詳細、特に各種実施形態によって例示される部分の構造および機構は、添付の請求項で表現される用語の広範な一般的意味により示される最大の範囲まで変更することができると理解されたい。
【図２Ａ】
0005933547.tif 000002
【図３Ｂ】
0005933547.tif 000003
【図３Ｃ】
0005933547.tif 000004
【図４Ａ】
0005933547.tif 000005
【図４Ｂ】
0005933547.tif 000006
【図５】
0005933547.tif 000007
【図１】
0005933547.tif 000008
【図２Ｂ】
0005933547.tif 000009
【図３Ａ】
0005933547.tif 000010
【図６】
0005933547.tif 000011
【図７】
0005933547.tif 000012
【図８】
0005933547.tif 000013